(57)【特許請求の範囲】
【請求項１】
片開きの回転扉が設けられた断熱性を有する箱体と、この箱体の外側底面前端部における上記回転扉のヒンジ側端部に設けられた第１支持脚部材と、上記箱体の外側底面前端部における上記回転扉の反ヒンジ側端部に設置され前端部が上記第１支持脚部材の前端部よりも後方側に位置された第２支持脚部材を備え、上記第１支持脚部材は、一部品の樹脂成形体からなり、上記第１支持脚部材が上記箱体の前端位置より前方に突出するように設けられることで転倒防止機能を有するものであって、高さ調節機能を持たないように形成され、上記第２支持脚部材は、床面との当接面を有し樹脂で成形されることにより上記当接面が形成されたねじで構成されるものであって、高さ調節機能を備えたことを特徴とする冷蔵庫。
【請求項２】
圧縮機を、冷蔵庫転倒回転軸に対して機械室内の遠くに位置する箇所に設置したことを特徴とする請求項１に記載の冷蔵庫。
【請求項３】
上記第１支持脚部材は、前端部を上記箱体の幅方向中心側に伸長したＬ字状に形成されてなることを特徴とする請求項１または請求項２に記載の冷蔵庫。
【請求項４】
上記第１支持脚部材の前端部の前後方向の位置は、上記回転扉が閉じられたときの扉前端面位置または引出し式扉が閉じられたときの扉前端面位置よりも後方側で、該扉前端面位置の近傍部となるように形成されていることを特徴とする請求項１から請求項３の何れかに記載の冷蔵庫。
【発明の詳細な説明】
【技術分野】
【０００１】
この発明は、回転扉の開放による重心の前方移動に対して、転倒し難くした冷蔵庫に関するものである。
【背景技術】
【０００２】
従来の冷蔵庫として、冷蔵庫の断熱箱体下部に複数本の調節脚が設けられた冷蔵庫において、高さ調節機能を持つ調節部と転倒防止機能を持つ支え部を回転自在に係合することにより調節脚を構成することにより、冷蔵庫を設置容易に、また、不安定な冷蔵庫でも転倒しにくく安定して設置可能にするようにしたものがある（例えば特許文献１参照）。
【先行技術文献】
【特許文献】
【０００３】
【特許文献１】特開２００７−１３９２５６号公報（第１頁、図４、図５）
【発明の概要】
【発明が解決しようとする課題】
【０００４】
上記のような従来の冷蔵庫においては、高さ調整と転倒防止の機能を１部品に持たせたことで、調節脚の構造が複雑になる。転倒防止機能としては従来のものと変わらない。また、扉を開けたときに支え部の前端部には、冷蔵庫の荷重の大部分が加わるが、１部品で高さ調節機能を持たせているため、調節ねじとの摺動部近傍に応力が集中し破損し易い。実際に設置する際には、支え部は回転自由に一体に設置されているが、回転動作中に過大な負荷が加わり、可動部が破損し易い。また、高さ調節機能が複数の調節脚に設けられているため、据付作業性が悪く、材料コスト、組立コストも高くなる。また、支え部の寸法制約が多く剛性を確保し難いなどの課題があった。
【０００５】
この発明は、上記のような従来技術の課題を解決するためになされたものであり、転倒防止機能が向上され、しかも設置する際の作業性が良く、部品の剛性確保が容易で材料コスト、組立コストも抑制し得る冷蔵庫を提供することを目的としている。
【課題を解決するための手段】
【０００６】
この発明に係る冷蔵庫は、片開きの回転扉が設けられた断熱性を有する箱体と、この箱体の外側底面前端部における上記回転扉のヒンジ側端部に設けられた第１支持脚部材と、上記箱体の外側底面前端部における上記回転扉の反ヒンジ側端部に設置され前端部が上記第１支持脚部材の前端部よりも後方側に位置された第２支持脚部材を備え、上記第１支持脚部材は、一部品の樹脂成形体からなり、上記第１支持脚部材が上記箱体の前端位置より前方に突出するように設けられることで転倒防止機能を有するものであって、高さ調節機能を持たないように形成され、上記第２支持脚部材は、床面との当接面を有し樹脂で成形されることにより上記当接面が形成されたねじで構成されるものであって、高さ調節機能を備えたものである。
【発明の効果】
【０００７】
この発明によれば、回転扉のヒンジ側端部に設けられた第１支持脚部材の前端部よりも、反ヒンジ側端部に設置される第２支持脚部材の前端部位置を後方側に配設したことによって、扉を開放したときの冷蔵庫の転倒回転軸に対するモーメント荷重を小さくすることができ、転倒防止機能が向上され、しかも、第１支持脚部材は、一部品の樹脂成形体からなり、上記第１支持脚部材が上記箱体の前端位置より前方に突出するように設けられることで転倒防止機能を有するものであって、高さ調節機能を持たないように形成され、上記第２支持脚部材は、床面との当接面を有し樹脂で成形されることにより上記当接面が形成されたねじで構成されて、上記第２支持脚部材のみに高さ調節機能を備えるように構成することで、簡素な構成で安定が保たれ、部品の剛性も確保し易くなるため、据付時の作業性が良く、材料コスト、組立コストを抑制でき、長期使用しても支持脚部材が変形しない冷蔵庫を得ることが可能となる。
【図面の簡単な説明】
【０００８】
【図１】本発明の実施の形態１による冷蔵庫を示す斜視図。
【図２】図１の冷蔵庫の側面視縦断面図。
【図３】図１の冷蔵庫の床面設置部を底面側から見た拡大斜視図。
【図４】図１の冷蔵庫の底面視図。
【図５】図１の冷蔵庫の転倒回転軸まわりのモーメントを概念的に説明する図。
【図６】図５に対する比較例１としての従来の冷蔵庫における転倒回転軸まわりのモーメントを概念的に説明する図。
【図７】図５に対する比較例２としての図１の冷蔵庫における支持部、調整部の位置を入れ替えた場合の転倒回転軸まわりのモーメントを概念的に説明する図。
【図８】本発明の実施の形態２による冷蔵庫の床面設置部を底面側から見た拡大斜視図。
【図９】本発明の実施の形態３による冷蔵庫の圧縮機の位置に対応するモーメントを概念的に説明する図。
【図１０】図９に対する比較例としての本発明の実施の形態１による冷蔵庫の圧縮機の位置に対応するモーメントを概念的に説明する図。
【図１１】本発明の実施の形態４による冷蔵庫の要部を示す底面視図。
【図１２】図１１の冷蔵庫の転倒回転軸まわりのモーメントを概念的に説明する図。
【発明を実施するための形態】
【０００９】
実施の形態１．
図１は、本発明の実施の形態１による冷蔵庫を示す斜視図、図２は図１の冷蔵庫の側面視縦断面図、図３は図１の冷蔵庫の床面設置部を底面側から見た拡大斜視図である。図において、冷蔵庫は、樹脂製の内箱、発泡断熱材、金属性の外箱で形成された箱体１、要求される機能により、箱体１内の区画を、冷蔵室や冷凍室など、所定の温度帯の貯蔵室に区分する断熱仕切壁２を有する。各貯蔵室には断熱扉が設置され、この実施の形態１においては、上部の貯蔵室は回転扉３を有する冷蔵室、下部の貯蔵室は引出し扉４を有する冷凍室となっている。
【００１０】
回転扉３には、貯蔵室側にボトルなどの容器を貯蔵できる収納ポケット３１が、引出し扉４には、引出し時に扉を支持するフレーム４１と、引出し扉４と連動して引出され、着脱自在の収納ケース４２が設置されている。また、冷蔵室には複数の庫内棚５が設置されている。また、箱体１の背面側には、冷却器６１が設けられ、箱体１の外部には、制御基板６２、機械室６３、圧縮機６４などが設置されている。冷蔵庫の箱体１と設置個所の床面とは、箱体１の底部前方側における回転扉３のヒンジ側に配設された、樹脂で成形され高さ調節機能をもたない第１支持脚部材７と、反ヒンジ側に配設された、高さ調節機能を有する第２支持脚部材８と、背面側の機械室底面部品６５の左右に形成された２箇所の接床部６５ａの合計４箇所で接している。
【００１１】
本発明の典型的な特徴部分の一つは前方側の第１、第２支持脚部材７、８の設置構成にある。この実施の形態１では、上記第２支持脚部材８の前端部は、第１支持脚部材７の前端部よりも後方側に所定寸法ずらした位置となるように設置されている。そして、第１支持脚部材７は、転倒防止機能を有し高さ調節機能を持たない構成であり、第２支持脚部材８は、外周囲及び床面との当接面が樹脂で成形されたねじによる高さ調節機能を有している。また、図４の底面視図に示すように、第１支持脚部材７の前端部の前後方向位置Ａは、回転扉３が閉じられたときの扉前端面位置Ｂ（引出し扉４が閉じられたときの扉前端面位置と同じ）よりも後方側で、扉前端面位置Ｂの直近部となるように形成されている。
【００１２】
また、第１支持脚部材７は、樹脂からなる一体物で成形されており、底面には、剛性を維持し、樹脂使用量を削減するためのリブ７ａが複数設けられている。また、引出し扉４が箱体１に収納されている状態でも、第１支持脚部材７の前端は引出し扉４の前面より突出しない大きさにすることで、外観がすっきりするだけでなく、使用者が躓いたりするおそれがないように構成されている。その他の構成は従来の冷蔵庫と同様である。
【００１３】
次に、上記のように構成された実施の形態１の動作について説明する。冷蔵庫を設置する際には、特に床面との間のがたつき防止機能、及び扉が開放され冷蔵庫の重心が扉開放前よりも前方に移動した状態での転倒防止機能が要求される。図３において、冷蔵庫設置時、床面とのガタツキがある場合、第２支持脚部材８のねじ部を回転させ、高さを調整することで、ガタツキが防止される。また、収納ポケット３１、収納ケース４２に食品が収納された状態で冷蔵室の回転扉３、冷凍室の引出し扉４が共に開放された場合、また、更に使用者が、貯蔵室の扉に体重を乗せた場合、重心が前方に移動し、冷蔵庫の設置状態が不安定になるが、後述するように第１支持脚部材７が箱体１の前端位置Ｃ（図５）より前方に突出されていることで安定が保たれ、冷蔵庫の転倒が防止される。
【００１４】
以下、図５〜図７を参照して実施の形態１の特徴部分を冷蔵庫に作用するモーメントを用いて詳細に説明する。なお、図５は、図１の冷蔵庫の転倒回転軸まわりのモーメントを概念的に説明する図であり、天面から見た状態での第１支持脚部材７、第２支持脚部材８、及び開放された冷蔵室の回転扉３に使用中に加えられる負荷による荷重が加わる位置Ｐの位置関係を概念的に示している。図６及び図７は本件発明の理解を容易にするために用意したものであり、図６は先行技術の場合のように左右の支持脚９が前面開口部に平行な従来の冷蔵庫の場合、図７は、図５の第１支持脚部材７に相当する支持脚７０と、第２支持脚部材８に相当する支持脚８０の設置箇所を、左右反転した場合をそれぞれ同様に示している。
【００１５】
例えば、図５において、貯蔵室の回転扉３を開放し、重心が前に移動し、冷蔵庫が転倒する場合、冷蔵庫は、床面設置部の前方である第１支持脚部材７と第２支持脚部材８の前端を結ぶ直線上に位置する冷蔵庫転倒回転軸１１を回転軸とする回転運動により転倒する。冷蔵庫が前方に転倒するか、設置状態を安定に保つかは、冷蔵庫転倒回転軸１１まわりの、モーメントのつりあいで決定される。箱体１や庫内棚５、圧縮機６４などの部品の質量によるモーメントは、冷蔵庫を安定に設置する方向に働き、貯蔵室の扉を開放することによるモーメントは、冷蔵庫を転倒させる方向に働く。また、モーメントは荷重×回転軸からの距離なので、冷蔵庫転倒回転軸１１から遠くに位置する荷重ほど大きなモーメントを発生させる。
【００１６】
一般に、回転扉は、食品の出し入れのし易さ、貯蔵物の視認のし易さから、使用頻度が高い冷蔵庫上部に設けられるため、回転扉３を開いた際、回転扉３の端には、使用者がもたれかかったり、掴んだりして、冷蔵庫の重心が不安定になる負荷が加わり易い。特に片開きの回転扉は、扉を開いた際、冷蔵庫前方への突出量が大きいため、冷蔵庫の重心が一層不安定になり易い。かかる観点から片開きの回転扉３に使用者が負荷による荷重を加えたときのモーメントの大きさを図５ないし図７について比較すると、図５に示す、本実施の形態１が、冷蔵庫転倒回転軸１１から荷重が加わる位置Ｐまでの距離Ｌ１が、図６の比較例１の冷蔵庫転倒回転軸１２に対する距離Ｌ２よりも短く、発生モーメントが小さくなる。従って、転倒防止の効果は従来のものより大きくできる。
【００１７】
なお、第１、第２支持脚部材７、８の配置を逆にした図７に示す比較例２の場合、冷蔵庫転倒回転軸１３から負荷による荷重が加わる位置Ｐまでの距離Ｌ３は逆に増加し、使用中の発生モーメントを抑制することができない。これに対して上記のように実施の形態１では、床面設置部において、第１の支持脚部材７を片開きの回転扉３のヒンジ側に前端が箱体１の前端位置Ｃから飛び出すように設置する一方、反ヒンジ側の第２の支持脚部材８を後退位置に設置させ、冷蔵庫転倒回転軸１１を開口部に対して傾けることで、使用者の負荷によって発生する荷重が加わる位置Ｐと冷蔵庫転倒回転軸１１との距離Ｌ１を短くでき、発生モーメントが抑制される。
【００１８】
上記のように実施の形態１によれば、箱体１の外側底面前端部における回転扉３のヒンジ側端部に設けられた第１支持脚部材７の前端部よりも、反ヒンジ側端部に設置された第２支持脚部材８の前端部位置を後方側に設置したことにより、回転扉３を開放したときの冷蔵庫転倒回転軸１３に対するモーメントの荷重を従来よりも小さくすることができ、転倒防止機能が向上される。
また、ヒンジ側の第１支持脚部材７を、転倒防止機能を有し高さ調節機能を持たない樹脂製の一体物で構成したので、荷重のかかる支持部分に複雑な機構をもつ可動部が無く、部品の剛性を確保でき、長期使用しても変形しないようにできる。そして、反ヒンジ側の第２支持脚部材８のみ高さ調節機能をもたせるようにしたので、据付時の作業性が良く、冷蔵庫製造時の組立コストも抑制できる。
【００１９】
また、構造が簡素なので材料コストも抑制できる。また、箱体１の前方に突出する支持脚部材が回転扉３のヒンジ側にしかないため、床面の占有面積が小さく、据付箇所の自由度が高くなる。また、第１支持脚部材７を樹脂で一体物に成形することができるので、デザイン性や設計自由度が高い。例えば、射出成形時に着色することができ、意匠部品、塗装工程を削除できる。また、引出し扉４が収納された際、支持脚部材が引出し扉４の前面より突出しない大きさにしたので、引出し扉４の収納時に支持脚部材が扉に隠れるため、外観がすっきりするだけでなく、使用者が躓いたりする恐れがない。
【００２０】
なお、実施の形態１では、上部に片開き式の回転扉３を有する冷蔵室、下部に引出し扉４を有する冷凍室という、いわゆる２ドア冷蔵庫の構成について例示したが、冷蔵室の区画数や扉の数などは限定されるものではなく、例えば更に冷凍室や各種冷蔵室などの貯蔵室と対応する扉が追加された構成などでも同様の効果が得られることは言うまでもない。
【００２１】
実施の形態２．
図８は本発明の実施の形態２による冷蔵庫の床面設置部を底面側から見た拡大斜視図である。図において、ヒンジ側の第１支持脚部材７Ａは、板金の曲げ加工によって成形された支持基体７ｂと、この支持基体７ｂの前方側端部に設けられたねじ部（図示省略）と、このねじ部に螺合された高さ調整用の樹脂材からなる接床部材７ｃと、その後方部に設けられ、床面と支持基体７ｂとの直接の接触を防止する樹脂材からなる車輪７ｄを用いて構成されている。また、反ヒンジ側の第２支持脚部材８Ａは、ねじ機構がない一部品の樹脂成形体によって構成されている。その他の構成は実施の形態１と同様である。
【００２２】
上記のように構成された実施の形態２によれば、高さ調節機能、箱体１の開口面の前方に突出する支持脚機能は、ヒンジ側の第１支持脚部材７Ａの１つのままで、一部品に機能を集約できる。また、支持基体７ｂを板金で構成したことで剛性の確保が容易となるため構造が簡素化され、製造コストも抑制できる。なお、据付作業性の向上など、実施の形態１と同様の効果も得られる。
【００２３】
実施の形態３．
図９は本発明の実施の形態３による冷蔵庫の圧縮機の位置に対応するモーメントを概念的に説明する図、図１０は図９に対する比較例としての本発明の実施の形態１による冷蔵庫の圧縮機の位置に対応するモーメントを概念的に説明する図である。なお、この実施の形態３は、圧縮機を、冷蔵庫転倒回転軸に対して機械室内の遠くに位置する箇所に設置するように構成したものである。図９において、圧縮機６４は、機械室１１内の冷蔵庫転倒回転軸１１から、より遠くに位置するヒンジ側の角部に設置されている。これに対して、図１０に示す比較例としての実施の形態１の圧縮機６４は、幅方向の中央部に配置されている。
【００２４】
上記のように構成された実施の形態３においては、冷蔵庫転倒回転軸１１まわりのモーメントのつりあいにおいて、冷蔵庫を安定に設置する方向に働く冷蔵庫転倒回転軸１１から圧縮機６４の重心位置までの距離が、図１０の比較例の場合の距離Ｌ４に対して、図９の実施の形態３の距離Ｌ５の方が大きくなり、冷蔵庫をより転倒しにくい安定した状態にすることができる。
【００２５】
実施の形態４．
図１１は本発明の実施の形態４による冷蔵庫の要部を示す底面視図、図１２は図１１の冷蔵庫転倒回転軸まわりのモーメントを概念的に説明する図である。なお、この実施の形態４は第１支持脚部材７Ｂとして、前端部が箱体１の幅方向中心側に伸長されたＬ字状に形成されたものを用いたものである。図１１において、第１支持脚部材７Ｂの前端部は、冷蔵庫開口部の中心側に延長され、Ｌ字形状に形成されている。その他の構成は実施の形態１と同様である。
【００２６】
上記のように構成された実施の形態４においては、図１２に示すように、破線で示す実施の形態１の場合の冷蔵庫転倒回転軸１１に対して、実施の形態４の場合、実線で示す冷蔵庫転倒回転軸１１Ａのように前方側に移動する。このため、解放された回転扉３に加えられる荷重が加わる位置Ｐの扉先端部と冷蔵庫転倒回転軸１１Ａとの距離Ｌ６を、実施の形態１の場合の距離Ｌ１よりも更に短くできる。第１支持脚部材７Ｂの前端が引出し扉４の前面より突出しない大きさを保持したまま、冷蔵庫転倒回転軸１１Ａを開口部に対してより傾けることができ、使用者の負荷によって発生するモーメントをより一層抑制することができる。
【符号の説明】
【００２７】
１  箱体、  ３  回転扉、  ４  引出し扉、  ７、７Ａ、７Ｂ  第１支持脚部材、  ７ａ  リブ、  ７ｂ  支持基体、  ７ｃ  接床部材、  ７ｄ  車輪、  ８、８Ａ  第２支持脚部材、  １１、１１Ａ、１２、１３  冷蔵庫転倒回転軸、  ６４  圧縮機、  Ｐ  荷重が加わる位置。
【図１】
0005611025.tif 000002
【図２】
0005611025.tif 000003
【図３】
0005611025.tif 000004
【図４】
0005611025.tif 000005
【図５】
0005611025.tif 000006
【図６】
0005611025.tif 000007
【図７】
0005611025.tif 000008
【図８】
0005611025.tif 000009
【図９】
0005611025.tif 000010
【図１０】
0005611025.tif 000011
【図１１】
0005611025.tif 000012
【図１２】
0005611025.tif 000013